(57)【要約】      （修正有）【課題】排雪板ブレードの左右端に取り付けられた車幅灯の耐久性を向上させる除雪汎用プラウ排雪板ブレード車幅灯を提供する。【解決手段】車幅灯の光源部を、従来の、フィラメント球であるハロゲンバルブに代えて、発光ダイオードで構成する。車幅灯１個における光源は、全体で１８個の発光ダイオードＺで構成され、前後面それぞれ、９個の発光ダイオードが等間隔で配列して設置され、車幅灯としての充分な光量が獲得できる。光源ユニット３０と車幅灯外枠２２との間には全面に緩衝材Ｙを充填し、光源部分への衝撃を吸収させる。【選択図】図３
0003220563.tif 000002
【実用新案登録請求の範囲】
【請求項１】
除雪汎用プラウにおける作業用アタッチメントの排雪板ブレードの両端部に、前後方向からの作業領域の視認性と除雪作業員への警告を兼ねる車幅灯で、車幅灯光源には発光ダイオードを使用し、光源を排雪板ブレード振動から保護する緩衝材により耐振性、耐久性を高め光源の耐久性を高めることを特徴とする。
【請求項２】
請求項１に記載の車幅灯の光源は、前面後面個々に９つの発光ダイオードを等間隔で配置し、光源ユニットの外側には前面後面強化プラスチックレンズにより二層で保護し、外側強化プラスチックレンズは光拡散様の形状を有し、内側強化プラスチックレンズは進行方向前方では橙色処理し、後方では黄色処理し、除雪汎用プラウの車両の向きを視認できることを特徴とする。
【考案の詳細な説明】
【技術分野】
【０００１】本考案は、除雪汎用プラウにおける、排雪板ブレードの左右端を、除雪汎用プラウ運転作業者及び除雪作業者に対して、除排雪作業領域の視認性及び排雪板ブレードの位置警告を兼ねる車幅灯に関するものであり、弊社実用新案登録第３１３３７４９号（Ｕ３１３３７４９）を改良したものである。
【背景技術】
【０００２】従来、除雪汎用プラウにおける、排雪板ブレードの左右端に取り付けられた車幅灯には、フィラメント球であるハロゲンバルブが汎用使用されていたが、対衝撃性が低く、耐久性が短い等の寿命が短いのが欠点であった。【０００３】また、ハロゲンバルブ光源に対して、様々な光源を模索し提案され、除雪汎用プラウ排雪板ブレード車幅灯が出現したが、排雪板ブレードに加わる排雪時の振動により、排雪板ブレード車幅灯は依然として寿命が短く、機能の維持に影響がでる他、安全な除雪作業には問題が生じていた。
【考案の開示】
【考案が解決しようとする課題】
【０００４】除雪汎用プラウ排雪板ブレード車幅灯に関し、前述の課題を解決するため、種々の提案がなされているが、いずれも光源はフィラメント球であるハロゲンバルブが主流であり、近年ＬＥＤ化へ光源が変遷してきました。しかしながら、過酷な寒冷地での振動が繰り返される排雪板ブレードの車幅灯の耐久性に対する要望が増えてきました。
【課題を解決するための手段】
【０００５】前記、課題を解決するため、本考案に係る技術的手段として、車幅灯の光源部の素材に着目し、従来の、フィラメント球であるハロゲンバルブから、発光ダイオードを素材とする製作方法を特徴とする。【０００６】なお、車幅灯１個における光源は、全体で１８個の発光ダイオードに改良構成され、前後面それぞれ、９個の発光ダイオードを等間隔に設置され、車幅灯としての充分なる光量を獲得できる光源を有することを特徴とする。【０００７】また、光源ユニットと車幅灯外枠との間には全面に緩衝材を充填し、光源部分への衝撃を吸収させるよう加工製作する。
【考案の効果】
【０００８】本考案によると、除雪汎用プラウ排雪板ブレード車幅灯は、除排雪時、ブレードに受ける衝撃、振動による車幅灯の損傷を軽減し、また、除雪汎用プラウ全体の維持管理が軽減できる。【０００９】また、従来、除雪汎用プラウ排雪板ブレード車幅灯は、除排雪繁忙期には、光源を何度となく交換を余儀なくされていましたが、光源メンテナンスは簡便になり、しかも、車幅灯の持続延命を獲得できた。
【考案を実施するための最良の形態】
【実施例】
【００１０】以下、本考案の実施形態を図を参照して説明する。図１には、本考案に係る、除雪汎用プラウの全体側面Ａが示されており、前進方向前部にブレード上部に車幅灯Ｘが、作業用車両Ａ装着されており、本考案はこのブレード部左右端に装着されている車幅灯Ｘに関する考案である。【００１１】図２には、本考案、ブレード部の正面図の全体図が示すものであるが、ブレードセンター部１０から左ブレード１１、右ブレード１２を表し、ブレード上部端には、それぞれ左車幅灯Ｘ１、右車幅灯Ｘ２が装着されている。【００１２】本考案に係る、除雪汎用プラウ排雪板ブレード車幅灯構造であるが、図３のａ）およびｂ）は車幅灯の前後からの正面図であるが、この図面で説明すると、ブレード部との車幅灯接続部２０、車幅灯外枠２２および光源保護充填物質Ｙ、光源部接合部２１、光源ユニット部３０、発光ダイオードＺ、車幅灯光源保護２層レンズ部４０、４１からの構造となっている。【００１３】また、図３のｃ）は光源ユニット部３０の側面断面図であるが、この図で説明すると、光源ユニット部３０の周囲には緩衝を目的とする充填物質Ｙが封入され、光源ユニット部３０をブレード部からの衝撃から保護することを目的とする。【００１４】また、図４では除排雪時ブレードに乗り上げる、雪塊から車幅灯を保護する目的で、車幅灯前後面には外側強化プラスチックレンズ４０を装着し、外側強化プラスチックレンズ４０は光拡散様の形状を有し、内側強化プラスチックレンズ４１は進行方向前側は橙色処理し、進行方向後側は黄色処理し、除雪汎用プラウの車両の向きを視認できることできる二層のレンズ構造７０及び８０となっている。
【産業上の利用可能性】
【００１５】本考案における、除雪汎用プラウ排雪板ブレード車幅灯は、従来のフィラメント球であるハロゲンバルブからＬＥＤ発光ダイオードを用いたことにより、光源の耐久が向上し、充填緩衝材を光源ユニットの外側に封入することにより、発光ダイオードに対する耐衝撃吸収が向上し、維持管理が簡便になり、しかも、光源の寿命及び毀損に対しては、図５で示す、光源ユニット３０の交換で済むことから、管理コスト削減が確実に獲得実現できる。
【図面の簡単な説明】
【００１６】
【図１】除雪汎用プラウの排雪板ブレード部装着時の側面図
【図２】排雪板ブレード部の正面図
【図３】車幅灯ＬＥＤ光源ユニット位置構造を説明する正面図および横側面断面図  ａ）進行方向に向かって左排雪板ブレードの上端に装着する車幅灯正面図  ｂ）進行方向に向かって右排雪板ブレードの上端に装着する車幅灯正面図  ｃ）車幅灯の側面断面図
【図４】光源ユニット緩衝材の構造を示す断面図
【図５】車幅灯の部材の構成を示す分解図
【符号の説明】
【００１７】Ａ          除雪汎用プラウ作業車側面
Ｘ          除雪汎用プラウの側面から見た車幅灯の位置
Ｙ          ＬＥＤ発光ダオード光源ユニット保護緩衝材
Ｚ          ＬＥＤ発光ダイオード
Ｘ１        向かって左側排雪板ブレード車幅灯
Ｘ２        向かって右側排雪板ブレード車幅灯
１０        排雪板センターブレード
１１        向かって左側排雪板ブレード
１２        向かって右側排雪板ブレード
２０        左右ブレード部端に接続固定される車幅灯接続部
２１        ＬＥＤ発光ダオード光源ユニット支持接続固定用ボルト
２２        車幅灯外枠
３０        ＬＥＤ発光ダオード光源ユニット
４０        外側強化プラスチックレンズ
４１        内側強化プラスチックレンズ
５０        進行方向前面シールドパッキン
５５        ＬＥＤ発光ダオード光源ユニット進行方向前面緩衝材
５６        ＬＥＤ発光ダオード光源ユニット進行方向後面緩衝材
６０        進行方向後面シールドパッキン
７０        橙色内側強化プラスチックレンズを圧着した強化プラスチックレンズ
８０        黄色内側強化プラスチックレンズを圧着した強化プラスチックレンズ
【選択図】
図３
【図１】
0003220563.tif 000003
【図２】
0003220563.tif 000004
【図３】
0003220563.tif 000005
【図４】
0003220563.tif 000006
【図５】
0003220563.tif 000007
【手続補正書】
【提出日】平成30年8月9日(2018.8.9)
【手続補正１】
【補正対象書類名】実用新案登録請求の範囲
【補正対象項目名】全文
【補正方法】変更
【補正の内容】
【実用新案登録請求の範囲】
【請求項１】
除雪汎用プラウにおける作業用アタッチメントの排雪板ブレードの両端部に、前後方向からの作業領域の視認性と除雪作業員への警告を兼ねる車幅灯で、車幅灯光源には発光ダイオードを使用し、光源を排雪板ブレード振動から保護する緩衝材により耐振性、耐久性を高め光源の耐久性を高めることを特徴とする除雪汎用プラウにおける排雪板ブレード用車幅灯。
【請求項２】
請求項１に記載の除雪汎用プラウにおける排雪板ブレード用車幅灯の光源は、前面後面個々に９つの発光ダイオードを等間隔で配置し、光源ユニットの外側には前面後面強化プラスチックレンズにより二層で保護し、外側強化プラスチックレンズは光拡散様の形状を有し、内側強化プラスチックレンズは進行方向前方では橙色処理し、後方では黄色処理し、除雪汎用プラウの車両の向きを視認できることを特徴とする除雪汎用プラウにおける排雪板ブレード用車幅灯。
【手続補正書】
【提出日】平成30年10月30日(2018.10.30)
【手続補正１】
【補正対象書類名】実用新案登録請求の範囲
【補正対象項目名】全文
【補正方法】変更
【補正の内容】
【実用新案登録請求の範囲】
【請求項１】
除雪汎用プラウにおける作業用アタッチメントの排雪板ブレードの両端部に装着され、前後方向からの作業領域の視認性と除雪作業員への警告を兼ねる車幅灯であって、車幅灯光源には発光ダイオードを使用し、光源を排雪板ブレード振動から保護する緩衝材により耐振性、耐久性を高め光源の耐久性を高めることを特徴とする除雪汎用プラウにおける排雪板ブレード用車幅灯。
【請求項２】
請求項１に記載の除雪汎用プラウにおける排雪板ブレード用車幅灯の光源は、前面後面個々に９つの発光ダイオードを等間隔で配置し、光源ユニットの外側には前面後面強化プラスチックレンズにより二層で保護し、外側強化プラスチックレンズは光拡散様の形状を有し、内側強化プラスチックレンズは進行方向前方では橙色処理し、後方では黄色処理し、除雪汎用プラウの車両の向きを視認できることを特徴とする除雪汎用プラウにおける排雪板ブレード用車幅灯。